(57)【要約】【課題】レンズ鏡胴本体の強度を確保しつつレンズ鏡胴本体を軽量化すること。【解決手段】第１本体環１４と、第１本体環１４の外周に固着された第２本体環１６とを含んでレンズ鏡胴本体が構成され、第１本体環１４及び第２本体環１６のうち少なくとも一方に周方向に沿った薄肉部１４６、１６６が設けられて、第１本体環１４の外周と第２本体環１６の内周との間に周方向に沿ったエアーギャップ１５が形成されている。【選択図】図５
2011043582.tif 000002
【特許請求の範囲】
【請求項１】
レンズを収納したレンズ鏡胴本体を備えたレンズ装置であって、
前記レンズ鏡胴本体は、第１の環状体と、前記第１の環状体の外周に固着された第２の環状体とを含んで構成され、
前記第１の環状体及び前記第２の環状体のうち少なくとも一方に周方向に沿った薄肉部が設けられて、前記第１の環状体の外周と前記第２の環状体の内周との間に周方向に沿った隙間が形成されていることを特徴とするレンズ装置。
【請求項２】
前記第２環状体の外周に、前記レンズを光軸方向に移動させる操作に用いる可動リングが配設されていることを特徴とする請求項１に記載のレンズ装置。
【請求項３】
前記第２環状体の外周に、前記可動リングを駆動可能な駆動装置を取付ける取付面が形成されていることを特徴とする請求項２に記載のレンズ装置。
【請求項４】
前記レンズを保持した移動枠の外周に突設された移動接点と、前記移動接点が前記レンズの光軸方向にて摺動する抵抗体を含むレンズ位置検出基板とを備え、前記レンズ位置検出基板が前記第１の環状体の外周と前記第２の環状体の内周との間に配置されていることを特徴とする請求項１ないし３のうちいずれか１項に記載のレンズ装置。
【請求項５】
前記レンズは、変倍レンズであることを特徴とする請求項１ないし４のうちいずれか１項に記載のレンズ装置。
【発明の詳細な説明】
【技術分野】
【０００１】
本発明はレンズ装置に係り、特にレンズを収納したレンズ鏡胴本体の構造に関する。
【背景技術】
【０００２】
従来、テレビの取材等で使用される持ち運び可能なＥＮＧ(Electronic News Gathering)カメラに用いられるレンズ装置として、インナーフォーカス式のレンズ装置やリアフォーカス式のレンズ装置が知られている（特許文献１、２）。
【０００３】
また、モータ内蔵の駆動装置（ドライブユニット）をレンズ鏡胴本体の外周に装着し、この駆動装置により可動リング（ズームリング、アイリスリング等）を駆動できるようにしたレンズ装置が知られている（特許文献３）。
【先行技術文献】
【特許文献】
【０００４】
【特許文献１】特開平９−２１１３０３号公報
【特許文献２】特開２００７−１４８０２１号公報
【特許文献３】特開２００３−２９１２３号公報
【発明の概要】
【発明が解決しようとする課題】
【０００５】
しかしながら、レンズ鏡胴本体の強度を確保しつつレンズ鏡胴本体に電気部品を配設しようとすると、レンズ鏡胴本体の厚みが全体的に増加するため、レンズ装置が重くなってしまうという課題がある。この課題について、図９を用いて具体的に説明する。
【０００６】
図９に示す従来のレンズ装置９１では、レンズ鏡胴本体９４の外周に設けられたズームリング５０を回動操作すると、このズームリング５０に連結軸５２を介して連結されたカム筒４８が回動すると共に、移動環４６のカムピン４６Ａがレンズ鏡胴本体９４の直進溝９４Ａに沿って進退移動する。即ち、ズームリング５０を回動操作することにより、ズームレンズ３２を光軸０方向に移動させることができる。また、レンズ鏡胴本体９４の駆動装置取付面９４Ｂに、図示省略の駆動装置を取付けるためのねじ孔８０が形成されている。その駆動装置によりズームリング５０の歯車５０Ａを回動させることで、ズームレンズ３２を光軸０方向に移動させることも可能である。このようなレンズ装置９１のレンズ鏡胴本体９４に、ズームレンズ３２の光軸０方向における絶対位置を検出するための電気部品を配設しようとした場合、レンズ鏡胴本体９４の外周に切り欠きを形成し、その切り欠きに電気部品を配置することが考えられる。しかし、レンズ鏡胴本体９４には前述の駆動装置を取付けるための強度が必要なので、電気部品配置用の切り欠きを設けても強度を確保するためには、レンズ鏡胴本体９４を全体的に厚くすることが要求される。そうすると、レンズ装置９１が重くなってしまう。
【０００７】
また、ズームレンズ３２の絶対位置を移動可能範囲にわたって検出しようとして、ズームリング５０の摺動面９４Ｃにも切り欠きを設けると、作動不良（摺動不良やトルクムラ等）が生じてしまうという別の問題もある。
【０００８】
本発明はこのような事情に鑑みてなされたもので、レンズ鏡胴本体の強度を確保しつつレンズ鏡胴本体を軽量化することができるレンズ装置を提供することを目的とする。
【課題を解決するための手段】
【０００９】
前記目的を達成するために、本発明は、レンズを収納したレンズ鏡胴本体を備えたレンズ装置であって、前記レンズ鏡胴本体は、第１の環状体と、前記第１の環状体の外周に固着された第２の環状体とを含んで構成され、前記第１の環状体及び前記第２の環状体のうち少なくとも一方に周方向に沿った薄肉部が設けられて、前記第１の環状体の外周と前記第２の環状体の内周との間に周方向に沿った隙間が形成されていることを特徴とするレンズ装置を提供する。
【００１０】
本発明によれば、レンズ鏡胴本体が第１の環状体と前記第１の環状体の外周に固着された第２の環状体とを含んで構成され、前記第１の環状体及び前記第２の環状体のうち少なくとも一方に周方向に沿った薄肉部が設けられて、前記第１の環状体の外周と前記第２の環状体の内周との間に周方向に沿った隙間が形成されているので、レンズ鏡胴本体の外周に切り欠きを設ける場合と比較して、レンズ鏡胴本体の強度を確保しつつレンズ鏡胴本体を軽量化することができる。
【００１１】
本発明の一態様では、前記第２環状体の外周に、前記レンズを光軸方向に移動させる操作に用いる可動リングが配設されている。また、本発明の一態様では、前記第２環状体の外周に、前記可動リングを駆動可能な駆動装置を取付ける取付面が形成されている。
【００１２】
また、本発明の一態様では、前記レンズを保持した移動枠の外周に突設された移動接点と、前記移動接点が前記レンズの光軸方向にて摺動する抵抗体を含むレンズ位置検出基板とを備え、前記レンズ位置検出基板が前記第１の環状体の外周と前記第２の環状体の内周との間に配置されている。
【００１３】
前記レンズは、例えば、変倍レンズである。フォーカスレンズ等、変倍レンズ以外のレンズであってもよい。
【発明の効果】
【００１４】
本発明によれば、レンズ鏡胴本体の強度を確保しつつレンズ鏡胴本体を軽量化することができる。
【図面の簡単な説明】
【００１５】
【図１】本発明に係るレンズ装置の一例を側面から観た断面図
【図２】図１のレンズ装置における要部を示す斜視図
【図３】カム筒の外観を示す斜視図
【図４】カム筒を取付けた第１本体環の外観を示す斜視図
【図５】第１本体環及び第２本体環の説明に用いる断面図
【図６】図１のレンズ装置における要部を示す断面図
【図７】レンズ位置検出基板及び移動枠を示す側面図
【図８】レンズ位置検出基板及び基板固定枠を示す分解斜視図
【図９】従来のレンズ装置の一例の要部を示す断面図
【発明を実施するための形態】
【００１６】
以下、添付図面に従って、本発明の実施形態について、詳細に説明する。
【００１７】
［レンズ装置の全体構成］
図１は、本発明が適用された例えば民生用のビデオカメラ、テレビ放送用のＥＮＧカメラ、監視用カメラ等に適用されるリアフォーカス式で可変焦点距離のレンズ装置を側面から見た断面図であり、光軸Ｏから上半分に関して示している。
【００１８】
図１において、レンズ装置１のレンズ鏡胴本体は、主として前枠１０、前固定環１２、第１本体環１４、第２本体環１６、後固定環１８、マウント取付枠２０、及びマウント環２２によって略円筒状に構成されている。
【００１９】
第１本体環１４は、レンズ鏡胴本体の最内周の構成部材であり、この第１本体環１４の外周前方側に前固定環１２がねじにより固定され、前固定環１２の前方に前枠１０がねじにより固定されている。また、第１本体環１４の外周後方側に第２本体環１６がねじにより固定され、第２本体環１６の後方に後固定環１８が、後固定環１８の後方にマウント取付枠２０が、マウント取付枠２０の後方にマウント環２２がそれぞれねじにより固定されている。
【００２０】
尚、前枠１０には、レンズフード２４が装着できるようになっている。また、レンズ装置１は、マウント環２２を介してレンズ交換式のカメラ本体に装着される。
【００２１】
このレンズ装置１における光学系は、物体側から順に、固定レンズ（第１群レンズ）３０、ズーム（変倍）レンズ（第２群レンズ）３２、前マスターレンズ（第３群レンズ）３４、フォーカスレンズ（第４群レンズ）３６、及び後マスターレンズ（第５群レンズ）３８の５群から構成されている。また、前マスターレンズ３４の直前には、虹彩絞り４０が設けられている。
【００２２】
ズームレンズ３２が取り付けられたレンズ枠４２は、押え環４４により移動枠４６に固定されている。第１本体環１４の内周部にはカム筒４８が回動可能に保持されており、移動枠４６は、カムピン４６Ａを介してカム筒４８の内周部に保持されている。
【００２３】
即ち、第１本体環１４の内周面には光軸Ｏ方向の直進溝１４Ａが形成されるとともに、カム筒４８にはカム溝（カム形状の孔）４８Ａが形成されており、移動枠４６に固定されたカムピン４６Ａが、カム筒４８のカム溝４８Ａを挿通して第１本体環１４の直進溝１４Ａに係合されている。これによって移動枠４６は、回転が規制された状態で光軸Ｏ方向に直進可能に保持されるとともに、カムピン４６Ａがカム溝４８Ａに係合する位置に保持される。
【００２４】
従って、カム筒４８が回動すると、カム筒４８のカム溝４８Ａと第１本体環１４の直進溝１４Ａとの交差位置がカム形状に応じた位置に変化し、その交差位置へのカムピン４６Ａの移動によって移動枠４６が光軸Ｏ方向に進退移動する。
【００２５】
一方、第２本体環１６の外周部には、ズームリング５０が回動可能に配置されており、そのズームリング５０の内周面の径方向内向きに棒状の連結軸５２が取り付けられている。この連結軸５２は、第１本体環１４に形成された周方向の長孔（図示せず）を挿通してカム筒４８に連結されている。これにより、ズームリング５０を回動操作すると、それに連動してカム筒４８が回動する。カム筒４８が回動すると、上述のように移動枠４６が進退移動し、移動枠４６と連動してズームレンズ３２が光軸Ｏ方向に移動する。従って、ズームリング５０の回動操作によりズーム倍率が変更されるようになっている。
【００２６】
虹彩絞り４０は、主としてプラスチック製の地板（絞り枠）５４と、菊座（カム板）５６と、絞り枠５４とカム板５６との間に配置された複数枚の絞り羽根５８とによって構成されている。後固定環１８とマウント取付枠２０との間には、アイリスリング６０が回動可能に配設され、このアイリスリング６０には、カム板５６から延出する連結軸５６Ａが連結されている。これにより、アイリスリング６０の回動によりカム板５６が回動し、絞り羽根５８が開閉動作するようになっている。
【００２７】
フォーカスレンズ３６は、光学系の焦点位置を変更するもので、前マスターレンズ３４等を保持する保持枠６２と、この保持枠６２の後端に配設される後マスターレンズ３８のレンズ枠６４との間に保持されているガイド軸及び回り止め（図示せず）により、光軸Ｏ方向に移動可能に支持されている。また、保持枠６２には、ガイド軸を挟んで一対のボイスコイルモータ（ＶＣＭ）６６が配設されており、フォーカスレンズ３６は、このＶＣＭ６６の動力によって電動で駆動されるようになっている。
【００２８】
前固定環１２の外周部には、第１フォーカスリング７０、及び第２フォーカスリング７２がそれぞれ回動可能に配置されている。第１フォーカスリング７０は、回動範囲が規制されておらず、エンドレスに回転させることができるとともに、光軸方向にスライド可能に配設されている。また、第２フォーカスリング７２は、ストッパー軸７４により約１２０度の範囲内で回動できるように規制されている。
【００２９】
第１フォーカスリング７０と第２フォーカスリング７２とが対向する端面には、それぞれ鋸歯状のクラッチ部７０Ａ、７２Ａが形成されており、図１に示す状態では、クラッチ部７０Ａ，７２Ａが連結（噛合）し、第１フォーカスリング７０と第２フォーカスリング７２とが一体的に回動する。従って、この状態で、第１フォーカスリング７０を手動で回動させる場合には、約１２０度の範囲内でのみ回動させることができる。
【００３０】
一方、第１フォーカスリング７０を、クリック用弾性部材７６を乗り越えるように前方にスライドさせると、前記クラッチ部７０Ａ、７２Ａの連結が外れる。これにより第１フォーカスリング７０は、エンドレスで回転できるようになる。
【００３１】
上記構成のレンズ装置１の側面には、ねじ孔８０、８２を介してグリップ部を兼ねた駆動装置（図示せず）が取り付けられる。
【００３２】
駆動装置は、ズームリング５０、アイリスリング６０を駆動するための駆動手段を有するとともに、内部に制御基板が配設され、シーソー式のズームスイッチにより電動でズームレンズ３２等を駆動制御するとともに、フォーカスレンズ３６や虹彩絞り４０を制御する。
【００３３】
＜各種の検出手段＞
第１本体環１４の外周面には、光軸方向に沿ってリニアポテンショメータが配設されており、このリニアポテンショメータ（ズームリニアＰＯＴ）は、カム筒４８の回転によりズームレンズ３２が光軸方向に移動すると、その移動位置に対応した位置信号（絶対位置を示す信号）をリード線を介して駆動部に出力する。
【００３４】
カム筒４８の後端面には、Ｎ極、Ｓ極が着磁された磁気リング８４が接着されており、第１本体環１４には、前記磁気リング８４に対向して磁気センサ（ＭＲセンサ）が配設されている。カム筒４８とともに磁気リング８４が回転すると、ＭＲセンサはその回転量に対応するパルス数のパルス信号（相対位置を示す信号）をリード線を介して駆動部に出力する。
【００３５】
尚、ズームリニアＰＯＴの出力は、電源投入時に使用され、その後は、ズーム位置検出用のＭＲセンサの出力が使用される。
【００３６】
フォーカスレンズ３６のガイド軸に対向する保持枠６２には、フォーカスレンズ位置検出用のＭＲセンサが配設されており、このＭＲセンサは、フォーカスレンズ３６の移動量に対応するパルス数のパルス信号（相対位置を示す信号）をリード線を介して駆動部に出力する。また、フォーカスレンズ３６の基準位置を検出するためのホームポジションセンサ（フォトインタラプタ）が保持枠６２内に配設されており、駆動部は、ホームポジションセンサによって検出されたフォーカスレンズ３６の基準位置を基準にしてＭＲセンサの出力信号をカウントすることによりフォーカスレンズ３６の絶対位置を検知している。
【００３７】
第１フォーカスリング７０及び第２フォーカスリング７２の周囲には、それぞれ歯車７０Ｂ，７２Ｂが形成されており、これらの歯車７０Ｂ，７２Ｂは、それぞれ駆動部側に設けられた相対位置検出型センサ（インクリメンタルエンコーダ）、及び絶対位置検出型センサ（アブソリュートエンコーダ）の検出軸の歯車に連結している。
【００３８】
これにより、駆動部は、第１フォーカスリング７０の相対的な回転量を検知することができるとともに、第２フォーカスリング７２の絶対的な回転位置を検知することができる。
【００３９】
また、前固定環１２の先端部には、フォトインタラプタ８６が配設されており、一方、第１フォーカスリング７０の先端には、遮光板７０Ｃが設けられている。このフォトインタラプタ８６は、遮光板７０Ｃの有無を示す検出信号を駆動部に出力する。これにより駆動部は、フォトインタラプタ８６からの検出信号により第１フォーカスリング７０が第２フォーカスリング７２に連結しているか否かを検知することができる。
【００４０】
［レンズ制御］
マウント取付枠２０の側面には、スライド式のマクロＯＮ／ＯＦＦスイッチと、ＡＦ／ＭＦ切替えスイッチと、ノンロック式のＡＦプッシュスイッチとが配設されており、これらのスイッチの操作に伴う出力信号は、リード線を介して駆動部に加えられるようになっている。
【００４１】
ここで、マクロＯＮ／ＯＦＦスイッチは、マクロ撮影モードをＯＮ／ＯＦＦさせるスイッチである。ＡＦ／ＭＦ切替えスイッチは、被写体像のコントラストが最大になるように自動的にフォーカスレンズ３６を移動させて焦点調節を行うオートフォーカス（ＡＦ）モードと、第１フォーカスリングを手動で回動操作することによりフォーカスレンズ３６を移動させて焦点調節を行うマニュアルフォーカス（ＭＦ）モードとを切り替えるスイッチである。ＡＦプッシュスイッチは、ＡＦ／ＭＦ切替えスイッチによりＭＦモードに切り替えられている場合に、キートップが押下（プッシュ）されている期間だけＡＦモードに切り替えるスイッチである。
【００４２】
＜フォーカス制御＞
ＡＦ／ＭＦ切替えスイッチによりＡＦモードに切り替えられている場合には、駆動部は、第１フォーカスリング７０、第２フォーカスリング７２の操作にかかわらず、自動的にフォーカスレンズ３６を合焦位置に移動させるＡＦ制御を行う。
【００４３】
一方、ＡＦ／ＭＦ切替えスイッチによりＭＦモードに切り替えられている場合には、第１フォーカスリング７０のスライド位置に応じて、フルＭＦモード（端付き）とＡＦ／ＭＦモード（エンドレス）とが切り替えられるようになっている。
【００４４】
即ち、駆動部は、前述したフォトインタラプタ８６からの検出信号により第１フォーカスリング７０のスライド位置（第１フォーカスリング７０が第２フォーカスリング７２に連結しているか否か）を検知することができ、第１フォーカスリング７０が第２フォーカスリング７２に連結している場合にはフルＭＦモードに切り替え、第１フォーカスリング７０が第２フォーカスリング７２に連結していない場合にはＡＦ／ＭＦモードに切り替える。
【００４５】
駆動部は、第１フォーカスリング７０が第２フォーカスリング７２に連結しているフルＭＦモード時には、第２フォーカスリング７２の歯車７２Ｂに連結している絶対位置検出型センサからの絶対位置信号（至近から無限遠の範囲内の撮影距離を指令する信号）と、電源投入時のズームリニアＰＯＴの出力及びその後のズーム位置検出用のＭＲセンサの出力から得られるズーム位置の絶対位置を示す信号（ズーム倍率を示す信号）とに基づいてフォーカスレンズ３６を駆動制御する。即ち、撮影距離に対応するフォーカスレンズ３６の移動すべき位置は、ズームレンズ３２の現在のズーム位置（ズーム倍率）に応じて予め設定されており、駆動部は、第１フォーカスリング７０の手動操作に連動して第２フォーカスリング７２が回動すると、その回動位置を示す信号（撮影距離を指令する信号）と現在のズーム倍率とに基づいてフォーカスレンズ３６を対応する位置に移動させる。
【００４６】
このようにフルＭＦモードに切り替えられると、第１フォーカスリング７０を手動で操作することにより、フォーカスレンズ３６を所望の撮影距離に対応する位置に移動させることができる。尚、第１フォーカスリング７０は、ストッパー軸７４によって回動範囲が規制されている端付きの第２フォーカスリング７２に連結しているため、その回動範囲が第２フォーカスリング７２と同様に規制され、至近端から無限遠端に対応する回動範囲内で回動できるようになっている。
【００４７】
上記フルＭＦモードは、第１フォーカスリング７０が第２フォーカスリング７２を介して回動範囲が制限されており、操作者は、第１フォーカスリング７０が端に到達したときの操作感によってフォーカスレンズ３６が至近端又は無限遠端に到達したことを認識することができる。このような第１フォーカスリング７０のみによるフォーカス操作は、本職のカメラマン等が使い慣れた方式である。
【００４８】
一方、第１フォーカスリング７０が第２フォーカスリング７２に連結していないＡＦ／ＭＦモード時には、第１フォーカスリング７０を回動させることによりフォーカスレンズ３６を移動させるＭＦモードと、前述したＡＦプッシュスイッチの押下によるＡＦモードとを適宜使い分けてフォーカス制御を行うことができる。
【００４９】
即ち、駆動部は、ＡＦ／ＭＦモード時に第１フォーカスリング７０が操作され、第１フォーカスリング７０の歯車７０Ｂに連結している相対位置検出型センサからの相対位置信号を入力すると、その相対位置信号に基づいてフォーカスレンズ３６を駆動制御し、第１フォーカスリング７０の回動量に対応した移動量だけフォーカスレンズ３６を移動させる。
【００５０】
尚、ＡＦ／ＭＦモード時には第１フォーカスリング７０は、第２フォーカスリング７２に連結していないため、その回動範囲が規制されずエンドレスで回転できるが、駆動部は、フォーカスレンズ３６が無限遠端又は至近端の位置まで移動すると、その端を超える移動指令は出力しないようにしている。
【００５１】
また、ＡＦ／ＭＦモード時にＡＦプッシュスイッチの押下によりＡＦモードに一時的に切り替え、その後、ＡＦプッシュスイッチから手を離してＭＦモードに切り替えると、ＡＦモードによって自動的に合焦したフォーカスレンズ３６の位置を引き継いで、第１フォーカスリング７０を操作した分だけフォーカスレンズ３６を変位させることができ、使い勝手がよくなる。
【００５２】
＜ズーム制御＞
駆動部に設けられているシーソー式のズームスイッチを操作すると、駆動部内の電動モータからズームリング５０の周囲に形成されている歯車５０Ａに回転駆動力が伝達され、これによりズームリング５０を回動させることができるようになっている。また、ズームリング５０（ズームリング５０に植設された図示しないズームレバー）を手動で操作することにより、ズームリング５０を回動させることができるようになっている。
【００５３】
ズームリング５０が回動すると、連結軸５２を介して連結されているカム筒４８が回動し、カム筒４８が回動すると、第１本体環１４に形成されている直進溝１４Ａ及びカム筒４８のカム溝４８Ａに係合しているカムピン４６Ａを介して移動枠４６が光軸Ｏ方向に進退移動する。このようにズームリング５０を回動させると、ズームレンズ３２を光軸Ｏ方向に移動させることができ、ズーム倍率を変更させることができる。
【００５４】
上記のようにしてズームレンズ３２の移動によりズーム倍率が変化すると、焦点面が移動するが、駆動部は、ズーム倍率の変化に伴う焦点面の移動を補正する補正光学系としてフォーカスレンズ３６を兼用し、ズーム倍率にかかわらず焦点面が移動しないようにフォーカスレンズ３６の位置を制御している。
【００５５】
即ち、駆動部は、ズーム操作前の現在のズームレンズ３２のズーム位置を、電源投入時のズームリニアＰＯＴの出力及びその後のズーム位置検出用のＭＲセンサの出力から取得するとともに、現在のフォーカスレンズ３６の位置をフォーカスレンズ位置検出用のＭＲセンサから取得し、予め撮影距離毎に準備されている焦点面を移動させないズーム位置とフォーカスレンズ位置との関係を示す補正曲線から、前記取得したズーム位置及びフォーカスレンズ位置に基づいて対応する補正曲線を選択し、その後、ズームレンズ３２の移動量が、ズームレンズ位置検出用のＭＲセンサの出力信号に基づいて検出されると、この検出されたズーム位置に対応するフォーカスレンズ位置（焦点面を移動させないフォーカスレンズ位置）を前記選択した補正曲線から読み出し、読み出したフォーカスレンズ位置にフォーカスレンズ３６を移動させる。
【００５６】
これにより、フォーカス制御により焦点面が、レンズ装置１が装着されたカメラ本体の撮像素子上に位置するようにピント調整した後、ズーム倍率を変更しても焦点面が移動しないようにする（ピントがずれないようにする）ことができる。
【００５７】
これにより、ズーム倍率を変更しても焦点面が移動しないようにすることができる。従って、一旦、フォーカス制御により焦点面がレンズ装置１が装着されたカメラ本体の撮像素子上に位置するようにピント調整すると、その後、ズーム操作してもピントがずれないようにすることができる。
【００５８】
［実施の形態］
図２は、図１に示したレンズ装置１の要部を示す斜視図である。図２において、第１本体環１４（第１の環状体）の外周に、第２本体環１６（第２の環状体）が固着されている。これら第１本体環１４及び第２本体環１６を含んでレンズ鏡胴本体が構成されている。第１本体環１４及び第２本体環１６は、強度確保及び軽量化のため、例えばアルミニウム材料を用いる。合成樹脂等、他の材料を用いてもよい。なお、第１本体環１４の外周面は、外観部でないため、梨地処理は不要である。また、第１本体環１４内に、カム筒４８が回動可能に保持されている。第１本体環１４の外周と第２本体環１６の内周との間には、カム筒４８内を光軸０方向に沿って移動可能なズームレンズ（図１の３２）の絶対位置を検出するためのレンズ位置検出基板１１０（「リニアポテンショメータ」ともいう）及び基板固定枠１２０が配置されている。レンズ位置検出基板１１０は、ズームレンズ３２の移動可能範囲にわたって絶対位置を検出するため、その移動可能範囲にわたる長さを有する。
【００５９】
図３は、カム筒４８の外観を示す斜視図である。図３に示すように、カム筒４８に３つのカム溝４８Ａが形成されている。移動枠４６に固定されたカムピン４６Ａが、カム筒４８のカム溝４８Ａを挿通している。そして、図１に示したように、カムピン４６Ａは、第１本体環１４の直進溝１４Ａに係合されている。
【００６０】
図４は、カム筒４８を取付けた第１本体環１４の外観を示す斜視図である。図４に示すように、第１本体環１４の外周には、周方向に沿って外フランジ１４１、１４２が形成されている。第１本体環１４の外フランジ１４１、１４２が形成された部分は厚肉部となっている。第１本体環１４の外フランジ１４１、１４２間は、周方向に沿った薄肉部１４６となっている。図５は、第１本体環１４及び第２本体環１６及びその周辺部を拡大して示す断面図である。図５に示すように、第２本体環１６の内周には、周方向に沿って内フランジ１６１、１６２が形成されている。第２本体環１６の内フランジ１６１、１６２が形成された部分は厚肉部となっている。第２本体環１６の内フランジ１６１、１６２間は、周方向に沿った薄肉部１６６となっている。即ち、第１本体環１４及び第２本体環１６はそれぞれ周方向に沿った厚肉部及び薄肉部を有し、第１本体環１４の外フランジ１４１、１４２と第２本体環１６の内フランジ１６１、１６２とが当接して薄肉部１４６、１６６同士が対向することで、第１本体環１４の外周と第２本体環１６の内周との間に周方向に沿ったエアーギャップ１５（隙間）が形成されている。図５のＦ６−Ｆ６線に沿った断面を図６に示す。
【００６１】
また、図５に示すように、第２本体環１６の外周には、ズームレンズ３２を光軸０方向に移動させる操作に用いるズームリング５０が摺動可能に配設されている。また、第２本体環１６及び後固定環１８には、図示省略の駆動装置を取付けるためのねじ孔８０、８２がそれぞれ形成されている。ねじ孔８０、８２は、それぞれ、第２本体環１６及び後固定環１８の厚肉部に形成されていると共に、第２本体環１６及び後固定環１８の外周の駆動装置取付面１６Ａ、１８Ａに開口している。駆動装置取付面１６Ａ、１８Ａに取付けた駆動装置により、ズームリング５０を回動させることが可能である。
【００６２】
また、図４に示すように、第１本体環１４の外周には、光軸０方向に沿って、図２に示した基板固定枠１２０を取付けるための平面部である基板固定枠取付面１４Ｃが形成されている。また、第１本体環１４には、光軸０方向に沿って、後述の移動接点（図７の１３０）を挿通させる移動接点挿通孔１４Ｄが形成されている。また、第１本体環１４には、周方向に沿って、図１に示した連結軸５２を挿通させる連結軸挿通孔１４Ｅが形成されている。また、第１本体環１４の外周には、図１に示したストッパー軸７４が突設されている。
【００６３】
図７は、レンズ位置検出基板１１０及び移動枠４６及びその周辺部を示す側面図である。レンズ位置検出基板１１０は、例えばガラスエポキシ樹脂を基材とし、基材の一方の面に抵抗体１１２が形成されている。移動接点１３０は、移動枠４６の外周に突設された突設体１３２と、レンズ位置検出基板１１０の抵抗体１１２に対し摺動自在に接触するブラシ１３４（摺動体）と、ブラシ１３４を突設体１３２に対し固定する固定部材１３６とを含んで構成されている。即ち、移動枠４６の外周に突設された移動接点１３０が、移動枠４６及びレンズ枠４２及びズームレンズ３２と共に光軸０方向に沿って移動し、レンズ位置検出基板１１０の一方の面に形成された抵抗体１１２に対し摺動する。
【００６４】
図８は、レンズ位置検出基板１１０及び基板固定枠１２０を示す分解斜視図である。基板固定枠１２０は、図７の移動接点１３０をズームレンズ３２の光軸０方向に移動自在に挿通させて移動接点１３０のブラシ１３４をレンズ位置検出基板１１０の抵抗体１１２に接触させるための長孔１２１と、レンズ位置検出基板１１０の外周端面を囲む側壁部１２２と、側壁部１２２から側壁部１２２の内側に向けて張り出してレンズ位置検出基板１１０の全外周縁を支持する内フランジ１２３とを含んで構成されている。言い換えると、基板固定枠１２０に凹部１６０が形成され、凹部１６０の底面に長孔１２１が形成され、その凹部１６０にレンズ位置検出基板１１０を落とし込む構造になっている。また、基板固定枠１２０には、レンズ位置検出基板１１０を基板固定枠１２０に対し位置決めするためのボス１２４と、レンズ位置検出基板１１０を基板固定枠１２０にネジ止めするためのネジ孔１２５と、基板固定枠１２０を本体環１４にネジ止めするためのネジ孔１２６とが形成されている。レンズ位置検出基板１１０には、基板固定枠１２０のボス１２４に対応するボス孔１１４と、レンズ位置検出基板１１０を基板固定枠１２０にネジ止めするためのネジ孔１１５と、基板固定枠１２０の符号１２６のネジ孔に対応するネジ孔１１６とが形成されている。また、基板固定枠１２０の本体環１４に対する配置面１２７には、第１本体環１４の外周面の外フランジ１４１、１４２に対応する形状の溝部１２８が形成されている。また、レンズ位置検出基板１１０には、ズームレンズ３２の光軸０方向における絶対位置を信号値として取り出すための電極端子１１９が配設されている。移動接点１３０がズームレンズ３２と共に光軸０方向に沿って移動すると、移動接点１３０のブラシ１３４が抵抗体１１２に対し摺動し、電極端子１１９間の抵抗値がブラシ１３４の光軸０方向における位置に応じて変化する。即ちズームレンズ３２の光軸０方向における位置に応じて電極端子１１９の出力信号が変化する。
【００６５】
レンズ位置検出基板１１０及び基板固定枠１２０及び移動接点１３０を含んで、ズームレンズ３２の光軸方向における絶対位置を検出するレンズ位置検出部１１が構成されている。
【００６６】
なお、第１本体環１４及び第２本体環１６の両方に厚肉部及び薄肉部を設けた場合を例に説明したが、一方のみに厚肉部及び薄肉部を設けてもよい。また、第１本体環１４の外周と第２本体環１６との間のエアーギャップ１５にレンズ位置検出基板１１０（リニアポテンショメータ）及び基板固定枠１２０を配置した場合を例に説明したが、本発明はこのような場合に限定されず、他の電気部品をエアーギャップ１５に配置してもよい。また、駆動装置によりズームリング５０を駆動する場合を例に説明したが、アイリスリング６０も駆動可能である。また、レンズ鏡胴本体に駆動装置を取付けた場合を例に説明したが、駆動装置を取付けない場合にも本発明は適用可能である。
【００６７】
本発明は、本明細書において説明した例や図面に図示された例には限定されず、本発明の要旨を逸脱しない範囲において、各種の設計変更や改良を行ってよいのはもちろんである。
【符号の説明】
【００６８】
１…レンズ装置、１３…本体環固定ねじ、１４…第１本体環、１５…エアーギャップ、１６…第２本体環、１６Ａ…駆動部取付面、３２…ズームレンズ、４６…移動枠、４８…カム環、５０…ズームリング、５０Ａ…ズームリングの歯車、５２…連結軸、１１０…レンズ位置検出基板、１２０…基板固定枠、１３０…移動接点部、１４１、１４２…第１本体環の外フランジ、１４６…第１本体環の薄肉部、１６１、１６２…第２本体環の内フランジ、１６６…第２本体環の薄肉部
【図１】
2011043582.tif 000003
【図２】
2011043582.tif 000004
【図３】
2011043582.tif 000005
【図４】
2011043582.tif 000006
【図５】
2011043582.tif 000007
【図６】
2011043582.tif 000008
【図７】
2011043582.tif 000009
【図８】
2011043582.tif 000010
【図９】
2011043582.tif 000011